(57)【要約】【課題】加熱調理を開始させる操作の使い勝手を向上することができる誘導加熱調理器を得る。【解決手段】誘導加熱コイル３と、誘導加熱コイル３を駆動するインバーター回路１１０と、少なくとも、インバーター回路１１０に電力を供給する電源部２００と、電源部２００の電力供給をオン・オフ操作する主電源スイッチ５０と、誘導加熱コイル３による加熱調理に関する設定を入力する設定スイッチと、インバーター回路１１０への加熱指令を行う制御部１００とを備え、制御部１００は、主電源スイッチ５０がオン操作され、設定スイッチが操作されたとき、所定の火力で、誘導加熱コイル３による加熱調理を開始させる。【選択図】図３
2012009161.tif 000002
【特許請求の範囲】
【請求項１】
誘導加熱コイルと、
前記誘導加熱コイルを駆動する駆動部と、
少なくとも、前記駆動部に電力を供給する電源部と、
前記電源部の電力供給をオン・オフ操作する主電源スイッチと、
前記誘導加熱コイルによる加熱調理に関する設定を入力する設定スイッチと、
前記駆動部への加熱指令を行う制御部と
を備え、
前記制御部は、
前記主電源スイッチがオン操作され、前記設定スイッチが操作されたとき、
予め設定された所定の火力で、前記誘導加熱コイルによる加熱調理を開始させる
ことを特徴とする誘導加熱調理器。
【請求項２】
前記設定スイッチは、加熱調理に関する設定内容に応じて複数設けられ、
前記制御部は、
前記主電源スイッチがオン操作され、前記複数の設定スイッチの何れか１つが操作されたとき、
前記所定の火力で、前記誘導加熱コイルによる加熱調理を開始させる
ことを特徴とする請求項１記載の誘導加熱調理器。
【請求項３】
前記設定スイッチは、
加熱調理の開始・停止操作をする切入スイッチ、
加熱調理の火力を設定する火力設定スイッチ、
および、所定の調理モードに応じた加熱調理を実行させる調理モードスイッチの少なくとも１つである
ことを特徴とする請求項１または２記載の誘導加熱調理器。
【請求項４】
誘導加熱調理器本体に設けられたグリル庫と、
前記グリル庫内に設けられたグリル加熱部と、
前記グリル加熱部による加熱調理に関する設定を入力するグリル設定スイッチと
を備え、
前記制御部は、
前記主電源スイッチがオン操作され、前記グリル設定スイッチが操作されたとき、
予め設定された所定の火力で、前記グリル加熱部による加熱調理を開始させる
ことを特徴とする請求項１〜３の何れか１項に記載の誘導加熱調理器。
【請求項５】
前記所定の火力は、
前記誘導加熱コイルの火力の範囲を３等分に区分したとき、最小の区分範囲に属する火力が設定された
ことを特徴とする請求項１〜４の何れか１項に記載の誘導加熱調理器。
【請求項６】
当該誘導加熱調理器への人体の接近を検出する人感センサーを備え、
前記制御部は、
前記人感センサーにより人の接近が検出され、且つ、
前記主電源スイッチがオン操作され、前記設定スイッチが操作されたとき、
所定の火力で、前記誘導加熱コイルによる加熱調理を開始させる
ことを特徴とする請求項１〜５の何れか１項に記載の誘導加熱調理器。
【請求項７】
前記人感センサーによる検出結果を報知する報知手段を備えた
ことを特徴とする請求項６記載の誘導加熱調理器。
【発明の詳細な説明】
【技術分野】
【０００１】
本発明は、誘導加熱調理器に関する。
【背景技術】
【０００２】
従来の誘導加熱調理器においては、例えば、「天面に被調理物を載置する天板を装着した調理器本体と、上記天板の下方に配置された熱源と、上記調理器本体の天面の適所に配置され上記熱源の火力等を設定入力する天面操作部と、上記調理器本体の前面に装着され上記熱源への通電開始を制御する操作摘みと、上記調理器本体への人体の接近を検出する人体センサと、電源スイッチと、上記天面操作部からの入力操作や操作摘み、人体センサ等の出力に基づいて上記熱源を制御する制御手段を備えたものにおいて、この制御手段を、上記人体センサが予め設定した所定時間以上人体の接近を検出時には、上記操作摘みの操作に係わらず上記天面操作部からの入力操作に基づいて上記熱源への通電を開始する様に構成した」ものが提案されている（例えば、特許文献１参照）。
【先行技術文献】
【特許文献】
【０００３】
【特許文献１】特開２００８−７１５５０号公報（請求項１）
【発明の概要】
【発明が解決しようとする課題】
【０００４】
従来の誘導加熱調理器では、加熱調理を開始させる手順としては、（１）主電源スイッチをオンにして各構成部への電力供給を行い、（２）加熱コイル毎に設けられた切入キーを押下することで当該加熱コイルを駆動可能な状態（加熱準備状態）とし、（３）加熱コイル毎に設けられた火力設定スイッチを押下することで、例えば中火程度の火力で当該加熱コイルの加熱調理を開始させている。このような手順により誤操作を防止して安全に配慮している。
【０００５】
しかしながら、ガスなどの熱源を利用するガスコンロ等では、加熱調理を開始させる手順として、（１）加熱口毎に設けられた着火スイッチを押下することで着火し、加熱調理を開始させ、（２）火力レバー等を操作して火力調整を行っている。このため、ガスコンロ等に馴染んだ使用者が誘導加熱調理器を使用する場合、加熱調理を開始させる手順が煩わしく感じたり、操作が理解できないことがある、という問題点があった。
【０００６】
本発明は、上記のような課題を解決するためになされたもので、加熱調理を開始させる操作の使い勝手を向上することができる誘導加熱調理器を得るものである。
【課題を解決するための手段】
【０００７】
本発明に係る誘導加熱調理器は、誘導加熱コイルと、前記誘導加熱コイルを駆動する駆動部と、少なくとも、前記駆動部に電力を供給する電源部と、前記電源部の電力供給をオン・オフ操作する主電源スイッチと、前記誘導加熱コイルによる加熱調理に関する設定を入力する設定スイッチと、前記駆動部への加熱指令を行う制御部とを備え、前記制御部は、前記主電源スイッチがオン操作され、前記設定スイッチが操作されたとき、予め設定された所定の火力で、前記誘導加熱コイルによる加熱調理を開始させるものである。
【発明の効果】
【０００８】
本発明は、主電源スイッチがオン操作され、設定スイッチが操作されたとき、予め設定された所定の火力で、誘導加熱コイルによる加熱調理を開始させるので、加熱調理を開始させる操作の使い勝手を向上することができる。
【図面の簡単な説明】
【０００９】
【図１】本発明の実施の形態１に係る誘導加熱調理器の斜視図である。
【図２】本発明の実施の形態１に係る誘導加熱調理器の上面図である。
【図３】本発明の実施の形態１に係る操作部を示す図である。
【図４】本発明の実施の形態１に係る誘導加熱調理器のブロック構成図である。
【図５】本発明の実施の形態１に係る調理開始処理を示すフローチャートである。
【図６】本発明の実施の形態２に係る調理開始処理を示すフローチャートである。
【図７】本発明の実施の形態３に係る誘導加熱調理器の上面図である。
【図８】本発明の実施の形態３に係る誘導加熱調理器のブロック構成図である。
【図９】本発明の実施の形態３に係る調理開始処理を示すフローチャートである。
【発明を実施するための形態】
【００１０】
実施の形態１．
図１は本発明の実施の形態１に係る誘導加熱調理器の斜視図である。
図２は本発明の実施の形態１に係る誘導加熱調理器の上面図である。
図１、図２において、本実施の形態１に係る誘導加熱調理器は、天面が開口された箱状の本体１の上面に、耐熱性のガラスと金属の枠体とで構成するトッププレート２が取り付けられるように構成されている。このトッププレート２には、鍋やフライパンなどの被加熱物が載置される。
本体１内には、トッププレート２に載置された被加熱物を誘導加熱する誘導加熱コイル３Ｒ、３Ｌが設けられている。
また、トッププレート２の表面には、本体１内の誘導加熱コイル３Ｒ、３Ｌが配設される位置に、加熱領域を示す目的で円形の表示（加熱口４Ｒ、４Ｌ）が形成されている。トッププレート２の右側には加熱口４Ｒが形成され、左側には加熱口４Ｌが形成される。
【００１１】
なお、本実施の形態では加熱口４が２つの場合を説明するが、本発明はこれに限るものではない。例えばトッププレート２の中央後方にさらに加熱口を設ける構成としても良い。また、複数の加熱口のうち任意の加熱口について、輻射によって加熱する輻射型熱源を用いる電気ヒーター（例えばニクロム線やハロゲンヒーター、ラジェンドヒーター等）を用いるようにしても良い。
【００１２】
トッププレート２の上面手前側には、加熱調理に関する操作を入力する操作部５が設けられている。詳細は後述する。
【００１３】
また、トッププレート２の上面手前側には、表示部６が設けられている。
この表示部６は、例えば、液晶（ＬＣＤ）や各種発光素子（ＬＥＤなど）、有機電界発光（Electro  Luminescence：ＥＬ）素子などにより構成することができる。
表示部６は、トッププレート２の左右方向の中央部に配置された中央表示部６０と、加熱口４Ｒの手前側に配置された火力表示部６１Ｒおよび右表示部６２Ｒと、加熱口４Ｌの手前側に配置された火力表示部６１Ｌおよび左表示部６２Ｌとを備える。
中央表示部６０は、加熱調理に関する設定情報や、調理モードの選択表示、自動調理の進行状況、警告表示などが表示される。
火力表示部６１Ｒ、６１Ｌは、対応する誘導加熱コイル３の投入火力などを表示する。
右表示部６２Ｒ、左表示部６２Ｌは、例えばタイマー調理における時間表示や揚げ物調理モードにおける温度表示など、対応する誘導加熱コイル３に係る加熱調理に関する情報を表示する。
【００１４】
また、トッププレート２の後方には、本体１内部と連通し、本体１内部に外気を取り込むための吸気口２０Ｒ、２０Ｌが設けられている。また、トッププレート２の後方中央には、本体１内部と連通し、本体１内部に取り込んだ空気を吹き出し排出するための排気口２１が設けられている。
また、吸気口２０Ｒ、２０Ｌおよび排気口２１の上部には、通気性を有するカバー２２を設けて、本体１内部への埃や異物侵入を防止している。
【００１５】
本体１の中央下部には魚等の調理を行うためのグリル庫３０が設けられている。
また、グリル庫３０内には、庫内に載置された被調理物を加熱するための熱源となるグリルヒーター３１（図示せず）が備えられている。このグリルヒーター３１は、例えばシーズヒーター等からなり、グリル庫３０内の上部および下部に配置される。
また、グリル庫３０の前面にはグリル扉３２が設けられ、グリル扉３２にはグリル庫３０の内部を視認できるよう視認窓３３が設けられている。また、グリル扉３２の最前面には使い勝手の良いようにグリル把持部３４が設けられている。また、グリル庫３０の内部において加熱時に排出される煙等の排気風は、本体１の奥部に設けた排気口２１より排気される。
なお、「グリルヒーター３１」は、本発明における「グリル加熱部」に相当する。
【００１６】
図３は本発明の実施の形態１に係る操作部を示す図である。
図３に示すように、操作部５は、誘導加熱調理器の主電源をオン・オフ操作する主電源スイッチ５０と、誘導加熱コイル３Ｒの加熱調理に関する操作を行う右ＩＨ操作部５Ｒと、誘導加熱コイル３Ｌの加熱調理に関する操作を行う左ＩＨ操作部５Ｌと、グリル庫３０の加熱調理に関する操作を行うグリル操作部５Ｇとにより構成されている。
また、右ＩＨ操作部５Ｒ、左ＩＨ操作部５Ｌ、グリル操作部５Ｇは、それぞれ、操作対象となる加熱口４、グリル庫３０に対応する位置に配置されている。すなわち、トッププレート２の上面前部において、本体１の左右中心線を挟んで、右側には右ＩＨ操作部５Ｒが配置され、中央部にはグリル操作部５Ｇが配置され、左側には左ＩＨ操作部５Ｌが配置されている。
【００１７】
右ＩＨ操作部５Ｒは、誘導加熱コイル３Ｒによる加熱調理の開始・停止操作をする切入スイッチ５１Ｒと、誘導加熱コイル３Ｒによる加熱調理の火力を設定する火力設定スイッチ５２Ｒと、所望の時間経過後に加熱調理を停止させるタイマー調理モードの設定・実行をする切タイマースイッチ５３とを備えている。
なお、「切タイマースイッチ５３」は、本発明における「調理モードスイッチ」に相当する。
【００１８】
左ＩＨ操作部５Ｌは、誘導加熱コイル３Ｌによる加熱調理の開始・停止操作をする切入スイッチ５１Ｌと、誘導加熱コイル３Ｌによる加熱調理の火力を設定する火力設定スイッチ５２Ｌと、被加熱物を所望の温度に加熱する調理モードである揚げ物調理の設定・実行をする揚げ物スイッチ５４とを備えている。
なお、「揚げ物スイッチ５４」は、本発明における「調理モードスイッチ」に相当する。
【００１９】
グリル操作部５Ｇは、グリルヒーター３１による加熱調理の開始・停止操作をする切入スイッチ５１Ｇと、グリルヒーター３１による加熱調理に関する設定を入力する手動調理スイッチ５５および自動調理スイッチ５６とを備えている。
また、手動調理スイッチ５５は、使用者の任意の操作によりグリルヒーター３１の火力を調節する焼き加減スイッチと、所望の時間経過後にグリル庫の加熱調理を停止させる切りタイマースイッチとを備えている。
また、自動調理スイッチ５６は、予め設定された所定の加熱調理を実行させる姿焼きスイッチおよび切身ひものスイッチを備えている。
【００２０】
操作部５は、例えば、メンブレンシートを用いた接点ボタンにより構成され、使用者により接点ボタンが押下されることにより、加熱制御に関する入力操作を検知する。
なお、操作部５は、メンブレンシートを用いた接点ボタンに限らず、例えば透明性の導電性フィルムなどの電極で構成したタッチスイッチにより構成し、使用者の指などが電極の配置位置に接触する際における静電容量の変化により入力操作を検知するようにしても良い。
【００２１】
図４は本発明の実施の形態１に係る誘導加熱調理器のブロック構成図である。
図４に示すように、本体１の内部には、制御部１００、インバーター回路１１０Ｒ、１１０Ｌ、グリルヒーター駆動回路１１１、表示部駆動回路１１２、スピーカー１１３、および電源部２００を備えている。
なお、「インバーター回路１１０Ｒ、１１０Ｌ」は、本発明における「駆動部」に相当する。
【００２２】
制御部１００は、操作部５からの操作信号や図示しない各種センサーからの検知信号が入力され、予め設定されたプログラム等に従って各構成部を制御するものである。
この制御部１００には、定電圧回路（図示せず）を介して直流電源が供給される。
【００２３】
電源部２００は、制御部１００からの制御に応じて、商用電源からの電力をインバーター回路１１０Ｒ、１１０Ｌ、グリルヒーター駆動回路１１１、および図示しない定電圧回路等に供給する。
【００２４】
インバーター回路１１０Ｒは、制御部１００からの加熱指令に応じて、電源部２００から供給される電力を変換し、誘導加熱コイル３Ｒと共振コンデンサＣとを接続した回路に、高周波電流を供給する。
インバーター回路１１０Ｌは、制御部１００からの加熱指令に応じて、電源部２００から供給される電力を変換し、誘導加熱コイル３Ｌと共振コンデンサＣとを接続した回路に、高周波電流を供給する。
なお、電源部２００から各インバーター回路１１０への電力供給は、制御部１００からの制御により、各インバーター回路１１０ごとにオンオフ制御がなされる。
【００２５】
誘導加熱コイル３Ｒ、３Ｌは、渦巻状に巻かれたコイルにより構成され、各インバーター回路１１０から高周波電流が供給されることにより、トッププレート２に載置された被加熱物を誘導加熱する。
【００２６】
グリルヒーター駆動回路１１１は、制御部１００からの加熱指令に応じて、グリル庫３０内のグリルヒーター３１を駆動する。
表示部駆動回路１１２は、制御部１００からの指示に従い、例えばＬＣＤにより構成された表示部６を駆動する。
【００２７】
以上、本実施の形態１における誘導加熱調理器の構成について説明した。
ここで、本実施の形態１における動作を説明する前に、従来の誘導加熱調理器における加熱調理の開始手順について説明する。
【００２８】
例えば加熱口４Ｒに鍋などの被加熱物を載置して加熱する場合を考える。
従来の誘導加熱調理器においては、以下の手順により加熱を開始する。
（１）使用者は主電源スイッチをオンにする。これにより制御部１００等に電力が供給される。
（２）使用者は加熱口４Ｒに対応する右ＩＨ操作部５Ｒの切入スイッチ５１Ｒを押下する。これにより、電源部２００からインバーター回路１１０Ｒに電力が供給され、誘導加熱コイル３Ｒが駆動可能な状態（加熱準備状態）となる。また、このとき、例えば火力表示部６１Ｒを青色表示させて、加熱準備状態である旨の表示をする。
（３）使用者は右ＩＨ操作部５Ｒの火力設定スイッチ５２Ｒを押下する。これにより、制御部１００は、インバーター回路１１０Ｒを駆動して、例えば中火程度の火力で誘導加熱コイル３Ｒによる誘導加熱を開始させる。
従来の誘導加熱調理器では、このような手順により誘導加熱を開始することで、誤操作を防止して安全に配慮している。
【００２９】
しかし、上記の手順では、加熱調理を開始させるまでの手順が煩雑であり、使用者によっては操作を迷ったり、理解ができない場合がある。
また、ガスコンロ等では、（１）使用者が加熱口毎に設けられた着火スイッチを押下することで着火して加熱調理が開始される。そして、（２）使用者は調理開始後に火力レバー等を操作して火力調整を行う手順となっている。従って、ガスコンロ等に馴染んだ使用者が誘導加熱調理器を使用する場合には、上記の問題点は顕著である。
【００３０】
次に、本実施の形態１における誘導加熱調理器の動作を説明する。
【００３１】
図５は本発明の実施の形態１に係る調理開始処理を示すフローチャートである。
以下、図５の各ステップに基づき説明する。
【００３２】
（Ｓ１１）
使用者は主電源スイッチをオンにする。これにより制御部１００等に電力が供給される。
【００３３】
（Ｓ１２）
制御部１００は、切入スイッチ５１Ｒ、５１Ｌ、５１Ｇの何れかのスイッチがオンであるか否かを判断する。
何れのスイッチもオフである場合には、ステップＳ１２を繰り返す。
【００３４】
（Ｓ１３）
切入スイッチ５１Ｒ、５１Ｌの何れかのスイッチがオンされた場合、制御部１００は、電源部２００を制御して、当該スイッチに対応するインバーター回路１１０Ｒ、または１１０Ｌへ電力を供給させる。そして、当該スイッチに対応するインバーター回路１１０Ｒ、または１１０Ｌを制御して、予め設定された所定の火力により、誘導加熱コイル３を駆動させて誘導加熱調理を開始させる。
また、切入スイッチ５１Ｇがオンされた場合、制御部１００は、電源部２００を制御して、グリルヒーター駆動回路１１１へ電力を供給させる。そして、グリルヒーター駆動回路１１１を制御して、予め設定された所定の火力により、グリルヒーター３１を駆動させて加熱調理を開始させる。
【００３５】
ここで、「所定の火力」は、安全性を補うため弱火程度の火力とするのが望ましい。例えば、誘導加熱コイル３の電力出力（火力）のゼロから最大電力までを７段階に区分して制御する場合、第１段階または第２段階の火力を設定する。
なお、「所定の火力」の設定はこれに限るものではない。例えば無段階に火力調節する場合等には、誘導加熱コイル３の火力の範囲（ゼロから最大電力）を３等分に区分したとき、最小の区分範囲に属する火力を設定する。
【００３６】
以上により、調理開始処理を終了する。
以降、通常の加熱制御により、例えば操作部５の各種スイッチの操作や調理モードに応じた調理が行われる。
【００３７】
なお、上記動作における「切入スイッチ５１Ｒ」および「切入スイッチ５１Ｌ」は、本発明における「設定スイッチ」に相当する。
なお、上記動作における「切入スイッチ５１Ｇ」は、本発明における「グリル設定スイッチ」に相当する。
【００３８】
なお、本実施の形態１では、ステップＳ１２において、切入スイッチ５１Ｒ、５１Ｌ、５１Ｇの何れかのスイッチがオンであるか否かを判断する場合を説明したが、本発明はこれに限るものではない。
例えば、切入スイッチ５１に代えて、右ＩＨ操作部５Ｒの火力設定スイッチ５２Ｒ、左ＩＨ操作部５Ｌの火力設定スイッチ５２Ｌ、グリル操作部５Ｇの手動調理スイッチ５５または自動調理スイッチ５６の何れかのスイッチがオンであるか否かを判断するようにしても良い。
なお、この場合の動作における「火力設定スイッチ５２Ｒ」および「火力設定スイッチ５２Ｌ」は、本発明における「設定スイッチ」に相当する。
また、この場合の動作における「手動調理スイッチ５５」および「自動調理スイッチ５６」は、本発明における「グリル設定スイッチ」に相当する。
【００３９】
以上のように本実施の形態においては、主電源スイッチ５０がオン操作され、切入スイッチ５１Ｒ、５１Ｌなどの設定スイッチが操作されたとき、予め設定された所定の火力で、誘導加熱コイル３による加熱調理を開始させる。
また、主電源スイッチ５０がオン操作され、切入スイッチ５１Ｇなどのグリル設定スイッチが操作されたとき、予め設定された所定の火力で、グリルヒーター３１による加熱調理を開始させる。
このため、従来の誘導加熱調理器と比較して、加熱調理を開始させる手順を減らすことができ、操作の手間や迷いを低減でき、使い勝手を向上させることができる。また、切入スイッチ５１Ｒ、５１Ｌなどの設定スイッチの操作により、所定の火力を投入するので、ガスコンロ等における調理開始の手順に近づけることができ、ガスコンロ等に馴染んだ使用者にとって手順が理解し易く、使い勝手を向上させることができる。
【００４０】
また、上記所定の火力は、誘導加熱コイル３の火力の範囲を３等分に区分したとき、最小の区分範囲に属する火力が設定されている。
このため、従来の誘導加熱調理器と比較して、加熱調理を開始させる手順を減らした場合であっても、被加熱物が急激に加熱されることを防止することができ、安全性を確保することができる。
【００４１】
実施の形態２．
上記実施の形態１では、主電源スイッチ５０がオン操作されたあと、切入スイッチ５１が操作されたとき、加熱調理を開始させる形態について説明した。
本実施の形態２では、主電源スイッチ５０がオン操作され、複数の設定スイッチの何れか１つが操作されたとき、所定の火力で、誘導加熱コイル３による加熱調理を開始させる形態について説明する。
なお、本実施の形態２における誘導加熱調理器の構成は、上記実施の形態１と同様であり、同一部分には同一の符号を付する。
【００４２】
図６は本発明の実施の形態２に係る調理開始処理を示すフローチャートである。
以下、図６の各ステップに基づき、上記実施の形態１との相違点を中心に説明する。
【００４３】
（Ｓ２１）
使用者は主電源スイッチをオンにする。これにより制御部１００等に電力が供給される。
【００４４】
（Ｓ２２）
制御部１００は、切入スイッチ５１Ｒ、５１Ｌ、５１Ｇの何れかのスイッチがオンであるか否かを判断する。
何れかのスイッチがオンされた場合、ステップＳ２５に進む。
【００４５】
（Ｓ２３）
一方、切入スイッチ５１Ｒ、５１Ｌ、５１Ｇの何れのスイッチもオフである場合、制御部１００は、火力設定スイッチ５２Ｒ、５２Ｌの何れかのスイッチがオンであるか否かを判断する。
何れかのスイッチがオンされた場合、ステップＳ２５に進む。
【００４６】
（Ｓ２４）
一方、火力設定スイッチ５２Ｒ、５２Ｌの何れのスイッチもオフである場合、制御部１００は、調理モードスイッチである、右ＩＨ操作部５Ｒの切タイマースイッチ５３、左ＩＨ操作部５Ｌの揚げ物スイッチ５４、グリル操作部５Ｇの手動調理スイッチ５５および自動調理スイッチ５６の何れかのスイッチがオンであるか否かを判断する。
何れかのスイッチがオンされた場合、ステップＳ２５に進む。
何れのスイッチもオフである場合には、ステップＳ２２に戻り、上記の動作を繰り返す。
【００４７】
（Ｓ２５）
上記実施の形態１のステップＳ１３と同様に、制御部１００は、操作されたスイッチに対応する誘導加熱コイル３Ｒ、３Ｌ、またはグリルヒーター３１を駆動させ、予め設定された所定の火力により、加熱調理を開始させる。
【００４８】
なお、本実施の形態２では、右ＩＨ操作部５Ｒ、左ＩＨ操作部５Ｌ、およびグリル操作部５Ｇの何れかのスイッチのオンにより、加熱調理を開始させる場合を説明したが本発明はこれに限るものではない。
各操作スイッチのうち、任意の複数のスイッチの何れかが操作されたとき、加熱調理を開始させるようにしても良い。
【００４９】
以上のように本実施の形態においては、加熱調理に関する設定内容に応じて複数の設定スイッチが設けられ、主電源スイッチ５０がオン操作され、複数の設定スイッチの何れか１つが操作されたとき、所定の火力で、誘導加熱コイル３による加熱調理を開始させる。
このため、従来の誘導加熱調理器と比較して、加熱調理を開始させる手順を減らすことができ、操作の手間や迷いを低減でき、使い勝手を向上させることができる。
また、火力設定スイッチ５２Ｒ、５２Ｌや各種の調理モードスイッチの操作により、加熱調理を開始させるので、調理開始後に火力調節する場合や調理モードを設定する場合には、調理開始操作と設定操作とを同じスイッチで行うことができ、さらに操作手順を減らすことができ、使い勝手を向上させることができる。
【００５０】
実施の形態３．
本実施の形態３では、誘導加熱調理器への人体の接近を検出する人感センサーを備える形態について説明する。
【００５１】
図７は本発明の実施の形態３に係る誘導加熱調理器の上面図である。
図８は本発明の実施の形態３に係る誘導加熱調理器のブロック構成図である。
図７、図８に示すように、本実施の形態３における誘導加熱調理器は、上記実施の形態１（図４）の構成に加え、当該誘導加熱調理器への人体の接近を検出する人感センサー３００と、人感センサー３００による検出結果を報知する人感検出表示器３１０とを備えている。
なお、その他の構成は上記実施の形態１（図４）と同様であり、同一部分には同一の符号を付する。
【００５２】
人感センサー３００は、制御部１００と接続され、人体の接近を検出して検出結果を制御部１００に入力する。この人感センサー３００は、例えば発光素子と受光素子とを有するフォトセンサーからなり、発光素子からの光が検知物（人）に当たり、反射した光を受光素子で受けて検知するものである。なお、フォトセンサーに限らず、人の存否を検知するものであれば良く、例えば超音波方式、カメラ画像方式、温度検知方式など任意の検知方式を用いることができる。
なお、人感センサー３００は、本体１の大きさ・形状、またはセンサーの検知領域の範囲等に応じて、任意の個数を配置するようにしても良い。
【００５３】
人感検出表示器３１０は、例えば、中央表示部６０を構成する液晶画面の一部を用いて、人感センサー３００による人体の検出の有無を表示する。
なお、人感センサー３００の構成はこれに限るものではなく、人体の検出の有無を報知するものであれば良い。例えば、別途、ＬＥＤなどの発光素子を設けても良い。また、表示に限らず、スピーカー１１３を人感検出表示器３１０として用いて、スピーカー１１３からの音（音声）により、人感センサー３００による検出結果を報知するようにしても良い。
なお、「人感検出表示器３１０」は、本発明における「報知手段」に相当する。
【００５４】
図９は本発明の実施の形態３に係る調理開始処理を示すフローチャートである。
以下、図９の各ステップに基づき、上記実施の形態１との相違点を中心に説明する。
【００５５】
（Ｓ３１）
使用者は主電源スイッチをオンにする。これにより制御部１００等に電力が供給される。
【００５６】
（Ｓ３２）
制御部１００は、人感センサー３００により人の接近が検出されたか否かを判断する。
人感センサー３００により人の接近が検出されない場合には、ステップＳ３２を繰り返す。
【００５７】
（Ｓ３３）
一方、人感センサー３００により人の接近が検出された場合、制御部１００は、人感検出表示器３１０により、人体の検出された旨の表示をさせる。
なお、本ステップＳ３３は必須ではなく、省略しても良い。
【００５８】
（Ｓ３４）
上記実施の形態１のステップＳ１２と同様に、制御部１００は、切入スイッチ５１Ｒ、５１Ｌ、５１Ｇの何れかのスイッチがオンであるか否かを判断し、何れのスイッチもオフである場合には、ステップＳ３２に戻る。何れかのスイッチがオンである場合にはステップＳ３５に進む。
【００５９】
（Ｓ３５）
上記実施の形態１のステップＳ１３と同様の動作により、加熱調理を開始させる。
【００６０】
なお、本実施の形態３では、上記実施の形態１の動作に加えて人感センサー３００の検出の判断を行う場合を説明したが、これに限らず、上記実施の形態２の動作に加えて人感センサー３００の検出の判断を加えるようにしても良い。例えば、上記実施の形態２（図６）のステップＳ２１の次に、本実施の形態３におけるステップＳ３２およびＳ３３を行うようにしても良い。
【００６１】
以上のように本実施の形態においては、人感センサー３００により人の接近が検出され、且つ、主電源スイッチ５０がオン操作され、設定スイッチが操作されたとき、所定の火力で、誘導加熱コイル３による加熱調理を開始させる。
このため、当該誘導加熱調理器に人が接近している場合に、加熱調理を開始させることができる。例えば、小動物等が操作部５を押下した場合や、操作部５に物が落下するなどした場合の誤動作を防止することができる。
よって、従来の誘導加熱調理器と比較して、加熱調理を開始させる手順を減らした場合であっても、安全性を確保することができる。
【００６２】
また、人感センサー３００による検出結果を報知する人感検出表示器３１０を備えている。
このため、人感センサー３００の人の検出の有無を使用者に報知することができる。よって、例えば当該誘導加熱調理器に人が接近しているにもかかわらず、人感センサー３００により人の接近が検出できない場合などに、加熱調理が開始できない理由を使用者は認識することができる。従って、使い勝手を向上させることができる。
【符号の説明】
【００６３】
１  本体、２  トッププレート、３Ｌ  誘導加熱コイル、３Ｒ  誘導加熱コイル、４Ｌ  加熱口、４Ｒ  加熱口、５  操作部、５Ｒ  右ＩＨ操作部、５Ｌ  左ＩＨ操作部、５Ｇ  グリル操作部、６  表示部、２０Ｒ  吸気口、２０Ｌ  吸気口、２１  排気口、２２  カバー、３０  グリル庫、３１  グリルヒーター、３２  グリル扉、３３  視認窓、３４  グリル把持部、５０  主電源スイッチ、５１Ｇ  切入スイッチ、５１Ｌ  切入スイッチ、５１Ｒ  切入スイッチ、５２Ｌ  火力設定スイッチ、５２Ｒ  火力設定スイッチ、５３  切タイマースイッチ、５４  揚げ物スイッチ、５５  手動調理スイッチ、５６  自動調理スイッチ、６０  中央表示部、６１Ｌ  火力表示部、６１Ｒ  火力表示部、６２Ｌ  左表示部、６２Ｒ  右表示部、１００  制御部、１１０Ｌ  インバーター回路、１１０Ｒ  インバーター回路、１１１  グリルヒーター駆動回路、１１２  表示部駆動回路、１１３  スピーカー、２００  電源部、３００  人感センサー、３１０  人感検出表示器。
【図１】
2012009161.tif 000003
【図２】
2012009161.tif 000004
【図３】
2012009161.tif 000005
【図４】
2012009161.tif 000006
【図５】
2012009161.tif 000007
【図６】
2012009161.tif 000008
【図７】
2012009161.tif 000009
【図８】
2012009161.tif 000010
【図９】
2012009161.tif 000011